(57)【要約】【課題】例えば不特定多数の人が使用するような場合でも、かごから操作盤を取り外すことができるエレベーター装置を提供する。【解決手段】エレベーター装置は、かご１、操作盤１３、検出部２１、及び動作制御部２３を備える。操作盤１３は、かご１に着脱可能である。動作制御部２３は、操作盤１３がかご１から外れたことを検出部２１が検出していなければ第１モードでかご１を制御する。動作制御部２３は、操作盤１３がかご１から外れたことを検出部２１が検出すると第１モードとは異なる第２モードでかご１を制御する。【選択図】図３
2020117393.tif 000002
【特許請求の範囲】
【請求項１】
エレベーターのかごと、
前記かごに着脱可能な操作盤と、
前記操作盤が前記かごから外れたことを検出する検出手段と、
前記操作盤が前記かごから外れたことを前記検出手段が検出していなければ第１モードで前記かごを制御し、前記操作盤が前記かごから外れたことを前記検出手段が検出すると前記第１モードとは異なる第２モードで前記かごを制御する動作制御手段と、
を備えたエレベーター装置。
【請求項２】
エレベーターのかごと、
前記かごに着脱可能な操作盤と、
前記操作盤が前記かごから外れたことを検出する検出手段と、
制御のためのモードを選択する選択手段と、
前記選択手段が選択したモードで前記かごを制御する動作制御手段と、
を備え、
前記選択手段は、前記操作盤が前記かごから外れたことを前記検出手段が検出していなければ第１モードを選択し、前記操作盤が前記かごから外れたことを前記検出手段が検出すると前記第１モードとは異なる第２モードを選択するエレベーター装置。
【請求項３】
前記第１モードは、登録された呼びに前記かごを応答させる自動モードであり、
前記第２モードは、前記かごを呼びに応答させない休止モードである請求項１又は請求項２に記載のエレベーター装置。
【請求項４】
前記第１モードは、登録された呼びに前記かごを応答させる自動モードであり、
前記第２モードは、手動操作によって前記かごを移動させることが可能な保守モードである請求項１又は請求項２に記載のエレベーター装置。
【請求項５】
エレベーターのかごと、
前記かごに着脱可能であり、第１解除方法及び前記第１解除方法とは異なる第２解除方法で前記かごから外すことが可能な操作盤と、
前記操作盤が前記かごから外れたことを検出する検出手段と、
前記操作盤が前記かごから外れたことを前記検出手段が検出していなければ第１モードで前記かごを制御する動作制御手段と、
を備え、
前記動作制御手段は、前記操作盤が前記かごから外れたことを前記検出手段が検出すると、前記操作盤が前記第１解除方法で外されていれば第２モードで前記かごを制御し、前記操作盤が前記第２解除方法で外されていれば第３モードで前記かごを制御し、
前記第２モードは、前記第１モードと異なるモードであり、
前記第３モードは、前記第１モード及び前記第２モードとは異なるモードであるエレベーター装置。
【請求項６】
エレベーターのかごと、
前記かごに着脱可能であり、第１解除方法及び前記第１解除方法とは異なる第２解除方法で前記かごから外すことが可能な操作盤と、
前記操作盤が前記かごから外れたことを検出する検出手段と、
制御のためのモードを選択する選択手段と、
前記選択手段が選択したモードで前記かごを制御する動作制御手段と、
を備え、
前記選択手段は、
前記操作盤が前記かごから外れたことを前記検出手段が検出していなければ第１モードを選択し、
前記操作盤が前記かごから外れたことを前記検出手段が検出すると、前記操作盤が前記第１解除方法で外されていれば第２モードを選択し、前記操作盤が前記第２解除方法で外されていれば第３モードを選択し、
前記第２モードは、前記第１モードと異なるモードであり、
前記第３モードは、前記第１モード及び前記第２モードとは異なるモードであるエレベーター装置。
【請求項７】
前記第１モードは、登録された呼びに前記かごを応答させる自動モードであり、
前記第２モードは、前記かごを呼びに応答させない休止モードであり、
前記第３モードは、手動操作によって前記かごを移動させることが可能な保守モードである請求項５又は請求項６に記載のエレベーター装置。
【請求項８】
前記動作制御手段を有する制御装置を更に備え、
前記操作盤は、前記かごから外された後に有線又は無線によって前記制御装置に接続可能であり、
前記保守モードにおいて、前記制御装置に接続された前記操作盤に対する手動操作に応じて前記かごを移動させることが可能な請求項４又は請求項７に記載のエレベーター装置。
【発明の詳細な説明】
【技術分野】
【０００１】
この発明は、エレベーター装置に関する。
【背景技術】
【０００２】
特許文献１に、エレベーター装置が記載されている。特許文献１に記載されたエレベーター装置では、制御装置に対する呼びの信号が操作端末から送信される。特許文献１の００２７段落には、操作端末がかごから取り外し可能であることが記載されている。
【先行技術文献】
【特許文献】
【０００３】
【特許文献１】国際公開第２０１７／１７５６７７号
【発明の概要】
【発明が解決しようとする課題】
【０００４】
特許文献１に記載されたエレベーター装置は、ホームエレベーターである。このため、例えばタブレット型ＰＣのような汎用の機器を操作端末として利用し、操作端末をかごから取り外し可能にすることができる。しかし、特許文献１に記載された上記機能を、例えば不特定多数の人が使用するようなエレベーター装置に適用することはできなかった。
【０００５】
この発明は、上述のような課題を解決するためになされた。この発明の目的は、例えば不特定多数の人が使用するような場合でも、かごから操作盤を取り外すことができるエレベーター装置を提供することである。
【課題を解決するための手段】
【０００６】
この発明に係るエレベーター装置は、エレベーターのかごと、かごに着脱可能な操作盤と、操作盤がかごから外れたことを検出する検出手段と、操作盤がかごから外れたことを検出手段が検出していなければ第１モードでかごを制御し、操作盤がかごから外れたことを検出手段が検出すると第１モードとは異なる第２モードでかごを制御する動作制御手段と、を備える。
【０００７】
この発明に係るエレベーター装置は、エレベーターのかごと、かごに着脱可能な操作盤と、操作盤がかごから外れたことを検出する検出手段と、制御のためのモードを選択する選択手段と、選択手段が選択したモードでかごを制御する動作制御手段と、を備える。選択手段は、操作盤がかごから外れたことを検出手段が検出していなければ第１モードを選択する。選択手段は、操作盤がかごから外れたことを検出手段が検出すると第１モードとは異なる第２モードを選択する。
【０００８】
この発明に係るエレベーター装置は、エレベーターのかごと、かごに着脱可能であり、第１解除方法及び第１解除方法とは異なる第２解除方法でかごから外すことが可能な操作盤と、操作盤がかごから外れたことを検出する検出手段と、操作盤がかごから外れたことを検出手段が検出していなければ第１モードでかごを制御する動作制御手段と、を備える。動作制御手段は、操作盤がかごから外れたことを検出手段が検出すると、操作盤が第１解除方法で外されていれば第２モードでかごを制御し、操作盤が第２解除方法で外されていれば第３モードでかごを制御する。第２モードは、第１モードと異なるモードである。第３モードは、第１モード及び第２モードとは異なるモードである。
【０００９】
この発明に係るエレベーター装置は、エレベーターのかごと、かごに着脱可能であり、第１解除方法及び第１解除方法とは異なる第２解除方法でかごから外すことが可能な操作盤と、操作盤がかごから外れたことを検出する検出手段と、制御のためのモードを選択する選択手段と、選択手段が選択したモードでかごを制御する動作制御手段と、を備える。選択手段は、操作盤がかごから外れたことを検出手段が検出していなければ第１モードを選択する。選択手段は、操作盤がかごから外れたことを検出手段が検出すると、操作盤が第１解除方法で外されていれば第２モードを選択し、操作盤が第２解除方法で外されていれば第３モードを選択する。第２モードは、第１モードと異なるモードである。第３モードは、第１モード及び第２モードとは異なるモードである。
【発明の効果】
【００１０】
この発明に係るエレベーター装置であれば、例えば不特定多数の人が使用するような場合でも、かごから操作盤を取り外すことができる。
【図面の簡単な説明】
【００１１】
【図１】実施の形態１におけるエレベーター装置の例を示す図である。
【図２】制御装置の機能を説明するための図である。
【図３】実施の形態１におけるエレベーター装置の動作例を示すフローチャートである。
【図４】実施の形態１におけるエレベーター装置の他の動作例を示すフローチャートである。
【図５】実施の形態１におけるエレベーター装置の他の動作例を示すフローチャートである。
【図６】操作盤の例を示す図である。
【図７】制御装置のハードウェア資源の例を示す図である。
【図８】制御装置のハードウェア資源の他の例を示す図である。
【発明を実施するための形態】
【００１２】
添付の図面を参照し、本発明を説明する。重複する説明は、適宜簡略化或いは省略する。各図において、同一の符号は同一の部分又は相当する部分を示す。
【００１３】
実施の形態１．
図１は、実施の形態１におけるエレベーター装置の例を示す図である。エレベーター装置は、例えばかご１及びつり合いおもり２を備える。かご１は、昇降路３を上下に移動する。つり合いおもり２は、昇降路３を上下に移動する。かご１及びつり合いおもり２は、主ロープ４によって昇降路３に吊り下げられる。
【００１４】
主ロープ４は、巻上機５の駆動綱車６に巻き掛けられる。かご１は、駆動綱車６の回転に応じて移動する。制御装置７は、駆動綱車６の回転及び停止を制御する。即ち、かご１の移動は、制御装置７によって制御される。
【００１５】
かご１は、例えばドア８、電動機９、及び照明器具１０を備える。電動機９は、ドア８を開閉するための駆動力を発生させる。電動機９及び照明器具１０等のかご１に備えられた機器は、制御装置７によって制御される。かご１が停止する乗場１１に、ドア１２が設けられる。乗場１１に、ドア１２を駆動するための装置は設けられていない。例えば、制御装置７は、かご１をある乗場１１に停止させると、電動機９を駆動してドア８を開閉させる。ドア８がドア１２に対向する位置で開閉すると、ドア１２は、ドア８の動きに連動して開閉する。
【００１６】
かご１に操作盤１３が設けられる。操作盤１３は、かご１に乗っている人が操作して情報を入力するための装置である。操作盤１３から入力された情報は、制御装置７に入力される。制御装置７は、例えば、操作盤１３から入力された情報に基づいて呼びを登録する。
【００１７】
操作盤１３は、かご１に着脱可能である。図１は、かご１に備えられた支持装置１４を介して操作盤１３が取り付けられる例を示す。検出器１５は、操作盤１３が支持装置１４から外れると、特定の信号を制御装置７に出力する。操作盤１３が支持装置１４に支持されていれば、検出器１５から制御装置７に対して信号は出力されない。
【００１８】
図２は、制御装置７の機能を説明するための図である。制御装置７は、例えば記憶部２０、検出部２１、選択部２２、動作制御部２３、及び無人検出部２４を備える。以下に、図３も参照し、本エレベーター装置が有する機能について説明する。図３は、実施の形態１におけるエレベーター装置の動作例を示すフローチャートである。
【００１９】
制御装置７では、検出部２１が、操作盤１３がかご１から外れたか否かを判定する（Ｓ１０１）。上述したように、操作盤１３が支持装置１４から外れると、検出器１５から制御装置７に対して特定の信号が入力される。検出部２１は、検出器１５から制御装置７に上記信号が入力されていなければ、操作盤１３がかご１から外れたことを検出しない（Ｓ１０１のＮｏ）。
【００２０】
選択部２２は、制御のためのモードを選択する。Ｓ１０１でＮｏと判定されると、選択部２２は、制御のためのモードとして自動モードを選択する。自動モードは、登録された呼びにかご１を順次応答させるモードである。動作制御部２３は、選択部２２が選択したモードでかご１を制御する。即ち、操作盤１３がかご１から外れたことを検出部２１が検出していなければ（Ｓ１０１のＮｏ）、動作制御部２３は、自動モードでかご１を制御する（Ｓ１０２）。自動モードによる制御が行われていれば、利用者は、エレベーターを使用して所望の階に移動することができる。
【００２１】
例えば、エレベーターの利用を夜間に禁止しているビルでは、特定の時刻になると、ビルの管理員が操作盤１３を支持装置１４から外す。これにより、検出器１５から制御装置７に特定の信号が入力される。検出部２１は、検出器１５から制御装置７に上記信号が入力されると、操作盤１３がかご１から外れたことを検出する（Ｓ１０１のＹｅｓ）。
【００２２】
Ｓ１０１でＹｅｓと判定されると、選択部２２は、制御のためのモードとして休止モードを選択する。休止モードは、エレベーターの利用を禁止するためのモードである。休止モードでは、かご１は呼びに応答しない。上述したように、動作制御部２３は、選択部２２が選択したモードでかご１を制御する。即ち、操作盤１３がかご１から外れたことを検出部２１が検出すると（Ｓ１０１のＹｅｓ）、動作制御部２３は、休止モードでかご１を制御する（Ｓ１０３）。休止モードによる制御が行われている間、利用者は、エレベーターを利用することができない。
【００２３】
例えば、Ｓ１０３で休止モードが開始されると、動作制御部２３は、電動機９を制御してドア８を開放する（Ｓ１０４）。これにより、かご１内で操作盤１３を外した管理員は、かご１の外に出ることができる。Ｓ１０４では、アナウンスを実施することによって降車を促しても良い。
【００２４】
図２は、かご１が秤装置１６を備える例を示す。秤装置１６は、かご１の負荷を検出する。秤装置１６が検出した負荷の情報は、制御装置７に入力される。無人検出部２４は、Ｓ１０４でドア８が開放されると、かご１内が無人であるか否かを判定する（Ｓ１０５）。無人検出部２４は、秤装置１６から入力された情報に基づいて、Ｓ１０５の判定を行う。
【００２５】
Ｓ１０４でドア８が開放された後にかご１内が無人であることが無人検出部２４によって検出されると、動作制御部２３はドア８を閉鎖する（Ｓ１０６）。動作制御部２３は、Ｓ１０６でドア８を閉じると、例えば特定の復帰信号が入力されるまでかご１を休止状態にする（Ｓ１０７）。休止状態では、例えば、照明器具１０が消灯される。
【００２６】
実施の形態１に示す例では、操作盤１３がかご１から外されると、休止モードが開始される。このため、エレベーターの休止中に、操作盤１３が壊されたり操作盤１３に悪戯されたりする恐れがない。したがって、本実施の形態に示す例は、飲食店の多いビル等への適用が好適である。また、操作盤１３がかご１から外されるのはエレベーターの利用が禁止されている期間であるため、操作盤１３をかご１から取り外し可能にしても、利用者が困ることはない。即ち、本実施の形態に示す例であれば、不特定多数の人が使用するようなエレベーター装置であっても、操作盤１３をかご１から取り外し可能にすることができる。
【００２７】
図３は、Ｓ１０１でＮｏと判定された場合に選択部２２が第１モードとして自動モードを選択する例を示す。また、図３は、Ｓ１０１でＹｅｓと判定された場合に選択部２２が第２モードとして休止モードを選択する例を示す。選択部２２は、第１モードとして他のモードを選択しても良い。選択部２２は、操作盤１３がかご１から外された状態でも実現することが可能な他のモードを第２モードとして選択しても良い。なお、第２モードは、第１モードとは異なるモードである。
【００２８】
図４は、実施の形態１におけるエレベーター装置の他の動作例を示すフローチャートである。図３に示す例は、ビルの管理員等によって操作盤１３が外されることを想定した動作フローである。一方、図４に示す例は、エレベーターの保守員等によって操作盤１３が外されることを想定した動作フローである。
【００２９】
図４のＳ２０１及びＳ２０２に示す処理は、図３のＳ１０１及びＳ１０２に示す処理と同様である。例えば、検出部２１は、操作盤１３がかご１から外れたか否かを判定する（Ｓ２０１）。Ｓ２０１でＮｏと判定されると、選択部２２は、制御のためのモードとして自動モードを選択する。即ち、操作盤１３がかご１から外れたことを検出部２１が検出していなければ（Ｓ２０１のＮｏ）、動作制御部２３は、自動モードでかご１を制御する（Ｓ２０２）。
【００３０】
例えば、エレベーター装置では、保守員による点検が定期的に行われる。保守員は、点検を開始する際に、操作盤１３を支持装置１４から外す。これにより、検出器１５から制御装置７に特定の信号が入力される。検出部２１は、検出器１５から制御装置７に上記信号が入力されると、操作盤１３がかご１から外れたことを検出する（Ｓ２０１のＹｅｓ）。
【００３１】
Ｓ２０１でＹｅｓと判定されると、選択部２２は、制御のためのモードとして保守モードを選択する。保守モードは、点検に必要な動作を行うためのモードである。例えば、専用のコントローラ等を使用することにより、保守員は、保守モードにおいて手動操作によってかご１を移動させることができる。上述したように、動作制御部２３は、選択部２２が選択したモードでかご１を制御する。即ち、操作盤１３がかご１から外れたことを検出部２１が検出すると（Ｓ２０１のＹｅｓ）、動作制御部２３は、保守モードでかご１を制御する（Ｓ２０３）。保守モードによる制御が行われている間、利用者は、エレベーターを利用することができない。
【００３２】
図４のＳ２０４以下に、保守モードで行われる動作の一例を示す。例えば、操作盤１３は、有線又は無線によって制御装置７に接続可能に構成される。操作盤１３がかご１から外されてＳ２０４で保守モードが開始されると、操作盤１３が制御装置７に接続されたか否かが判定される（Ｓ２０４）。操作盤１３が制御装置７に接続されると、動作制御部２３は、操作盤１３に対して行われた手動操作に応じてかご１を移動させる（Ｓ２０５）。
【００３３】
図４に示す例では、操作盤１３がかご１から外されると、保守モードが開始される。このため、エレベーターの点検中に、操作盤１３が壊されたり操作盤１３に悪戯されたりする恐れがない。また、操作盤１３がかご１から外されるのは点検が行われる時であるため、操作盤１３をかご１から取り外し可能にしても、利用者が困ることはない。即ち、図４に示す例であれば、不特定多数の人が使用するようなエレベーター装置であっても、操作盤１３をかご１から取り外し可能にすることができる。
【００３４】
更に、図４に示す例であれば、かご１から外した操作盤１３を保守端末として利用することができる。保守員は、例えば制御装置７が設置されている機械室等で操作盤１３を手動操作し、かご１を移動させることができる。制御装置７に接続された操作盤１３を操作することにより、点検に必要な各種データの収集及び収集したデータの送信が行われても良い。
【００３５】
図５は、実施の形態１におけるエレベーター装置の他の動作例を示すフローチャートである。図５は、操作盤１３を解除した方法に応じて適切なモードが選択される例を示す。
【００３６】
図６は、操作盤１３の例を示す図である。図６に示す例では、操作盤１３は、例えば行先ボタン１３ａ、開ボタン１３ｂ、閉ボタン１３ｃ、及びリーダ１３ｄを備える。行先ボタン１３ａは、利用者が行先呼びを登録するために押すボタンである。開ボタン１３ｂは、利用者がドア８を開けるために押すボタンである。閉ボタン１３ｃは、利用者がドア８を閉じるために押すボタンである。
【００３７】
図５及び図６は、複数の解除方法で操作盤１３をかご１から外すことが可能な例を示す。例えば、操作盤１３は、リーダ１３ｄが読み取った情報に応じてかご１から取り外し可能な状態になる。一例として、ビルの管理員は、カードＡを所持する。カードＡに記憶された識別情報がリーダ１３ｄに読み取られると、操作盤１３はかご１から取り外し可能な状態になる。また、エレベーターの保守員は、カードＡとは異なるカードＢを所持する。カードＢに記憶された識別情報がリーダ１３ｄに読み取られると、操作盤１３はかご１から取り外し可能な状態になる。カードＡに記憶された識別情報及びカードＢに記憶された識別情報は、記憶部２０に予め登録される。
【００３８】
操作盤１３をかご１から外すための解除方法は、上記例に限定されない。例えば、第１パスワード及び第２パスワードが記憶部２０に予め登録される。かかる場合、入力装置（図示せず）から第１パスワードが入力されると、操作盤１３はかご１から取り外し可能な状態になる。同様に、入力装置から第２パスワードが入力されると、操作盤１３はかご１から取り外し可能な状態になる。図５及び図６に示す例では、少なくとも、第１解除方法及び第１解除方法とは異なる第２解除方法で、操作盤１３をかご１から外すことが可能であれば良い。
【００３９】
図５のＳ３０１及びＳ３０２に示す処理は、図３のＳ１０１及びＳ１０２に示す処理と同様である。例えば、検出部２１は、操作盤１３がかご１から外れたか否かを判定する（Ｓ３０１）。Ｓ３０１でＮｏと判定されると、選択部２２は、制御のためのモードとして自動モードを選択する。即ち、操作盤１３がかご１から外れたことを検出部２１が検出していなければ（Ｓ３０１のＮｏ）、動作制御部２３は、自動モードでかご１を制御する（Ｓ３０２）。
【００４０】
操作盤１３がかご１から外れたことを検出部２１が検出すると、操作盤１３の解除方法が特定される。以下においては、最も簡単な例として、第１解除方法及び第１解除方法とは異なる第２解除方法の２つの方法で、操作盤１３をかご１から外すことが可能な例を考える。例えば、カードＡに記憶された識別情報をリーダ１３ｄに読み取らせる方法を第１解除方法とする。カードＢに記憶された識別情報をリーダ１３ｄに読み取らせる方法を第２解除方法とする。
【００４１】
Ｓ３０１でＹｅｓと判定されると、制御装置７では、第１解除方法或いは第２解除方法のどちらで操作盤１３が外されたのかが判定される（Ｓ３０３）。例えば、エレベーターの利用を夜間に禁止しているビルでは、特定の時刻になると、ビルの管理員が操作盤１３を支持装置１４から外す。この時、管理員は、所有するカードＡをリーダ１３ｄにかざす。これにより、カードＡに記憶された識別情報がリーダ１３ｄに読み取られ、操作盤１３がかご１から取り外し可能な状態になる。管理員が操作盤１３をかご１から外すと、検出器１５から制御装置７に特定の信号が入力され、Ｓ３０１でＹｅｓと判定される。かかる場合、Ｓ３０３では、第１解除方法で操作盤１３が外されたことが特定される。
【００４２】
操作盤１３が第１解除方法でかご１から外されると、選択部２２は、制御のためのモードとして休止モードを選択する。即ち、操作盤１３が第１解除方法でかご１から外されていれば、動作制御部２３は、休止モードでかご１を制御する（Ｓ３０４）。なお、図５のＳ３０５からＳ３０８に示す処理は、図３のＳ１０４からＳ１０７に示す処理と同様である。
【００４３】
また、エレベーター装置では、保守員による点検が定期的に行われる。保守員は、点検を開始する際に、操作盤１３を支持装置１４から外す。この時、保守員は、所有するカードＢをリーダ１３ｄにかざす。これにより、カードＢに記憶された識別情報がリーダ１３ｄに読み取られ、操作盤１３がかご１から取り外し可能な状態になる。保守員が操作盤１３をかご１から外すと、検出器１５から制御装置７に特定の信号が入力され、Ｓ３０１でＹｅｓと判定される。かかる場合、Ｓ３０３では、第２解除方法で操作盤１３が外されたことが特定される。
【００４４】
操作盤１３が第２解除方法でかご１から外されると、選択部２２は、制御のためのモードとして保守モードを選択する。即ち、操作盤１３が第２解除方法でかご１から外されていれば、動作制御部２３は、保守モードでかご１を制御する（Ｓ３０９）。なお、図５のＳ３１０及びＳ３１１に示す処理は、図４のＳ２０４及びＳ２０５に示す処理と同様である。
【００４５】
図５は、Ｓ３０１でＮｏと判定された場合に選択部２２が第１モードとして自動モードを選択する例を示す。また、図５は、Ｓ３０３で第１解除方法が特定された場合に選択部２２が第２モードとして休止モードを選択する例を示す。図５は、Ｓ３０３で第２解除方法が特定された場合に選択部２２が第３モードとして保守モードを選択する例を示す。選択部２２は第１モードとして他のモードを選択しても良い。選択部２２は、操作盤１３がかご１から外された状態でも実現することが可能な他のモードを第２モードとして選択しても良い。第２モードは、第１モードとは異なるモードである。選択部２２は、操作盤１３がかご１から外された状態でも実現することが可能な他のモードを第３モードとして選択しても良い。第３モードは、第１モード及び第２モードとは異なるモードである。
【００４６】
本実施の形態では、操作盤１３が支持装置１４に支持される例について説明した。これは一例である。操作盤１３は、例えばかご１の壁面の複数の位置に着脱可能であっても良い。また、図６に示すようにかご１にアンテナ１７を設置し、操作盤１３とアンテナ１７との間で無線通信が行われても良い。かかる場合、検出部２１は、操作盤１３とアンテナ１７との間で無線通信を行うことができなくなることにより、操作盤１３がかご１から外れたことを検出しても良い。
【００４７】
本実施の形態では、操作盤１３が機械式のボタンを備える例について説明した。これは一例である。操作盤１３は、利用者がタッチパネルを操作することによって情報を入力する装置であっても良い。
【００４８】
本実施の形態において、符号２０〜２４に示す各部は、制御装置７が有する機能を示す。図７は、制御装置７のハードウェア資源の例を示す図である。制御装置７は、ハードウェア資源として、例えばプロセッサ２５とメモリ２６とを含む処理回路２８を備える。記憶部２０が有する機能はメモリ２６によって実現される。制御装置７は、メモリ２６に記憶されたプログラムをプロセッサ２５によって実行することにより、符号２１〜２４に示す各部の機能を実現する。
【００４９】
図８は、制御装置７のハードウェア資源の他の例を示す図である。図８に示す例では、制御装置７は、例えばプロセッサ２５、メモリ２６、及び専用ハードウェア２７を含む処理回路２８を備える。図８は、制御装置７が有する機能の一部を専用ハードウェア２７によって実現する例を示す。制御装置７が有する機能の全部を専用ハードウェア２７によって実現しても良い。専用ハードウェア２７として、単一回路、複合回路、プログラム化したプロセッサ、並列プログラム化したプロセッサ、ＡＳＩＣ、ＦＰＧＡ、又はこれらの組み合わせを採用できる。
【符号の説明】
【００５０】
１  かご、  ２  つり合いおもり、  ３  昇降路、  ４  主ロープ、  ５  巻上機、  ６  駆動綱車、  ７  制御装置、  ８  ドア、  ９  電動機、  １０  照明器具、  １１  乗場、  １２  ドア、  １３  操作盤、  １３ａ  行先ボタン、  １３ｂ  開ボタン、  １３ｃ  閉ボタン、  １３ｄ  リーダ、  １４  支持装置、  １５  検出器、  １６  秤装置、  １７  アンテナ、  ２０  記憶部、  ２１  検出部、  ２２  選択部、  ２３  動作制御部、  ２４  無人検出部、  ２５  プロセッサ、  ２６  メモリ、  ２７  専用ハードウェア、  ２８  処理回路
【図１】
2020117393.tif 000003
【図２】
2020117393.tif 000004
【図３】
2020117393.tif 000005
【図４】
2020117393.tif 000006
【図５】
2020117393.tif 000007
【図６】
2020117393.tif 000008
【図７】
2020117393.tif 000009
【図８】
2020117393.tif 000010